(57)【特許請求の範囲】
【請求項１】
その長手方向に垂直な断面が略逆Ｖ字形になるように板体を屈曲させてなる長尺板状体の、長手方向に直交する方向に折り曲げ自在な折り曲げ構造であって、折り曲げ部における上記略逆Ｖ字形の逆Ｖ字の開放側端部を折り曲げ自在の軸とし、所定の角度折り曲げた状態を境にしてその角度を小さくする方向または大きくする方向に付勢する弾性体が上記折り曲げ部に形成されており、上記断面略逆Ｖ字形の逆Ｖ字の開放側端部を折り曲げ自在の軸とするものが下記の構成（Ａ）になっていることを特徴とする折り曲げ構造。
（Ａ）長尺板状体の長手方向に垂直な断面が略逆Ｖ字形になっており、折り曲げ部の断面略逆Ｖ字形の各傾斜面が、上記逆Ｖ字の開放側端部から頂部にいくにつれて広がる弾性体に形成され、上記長尺板状体を上記逆Ｖ字の開放側端部側に折り曲げると上記弾性体が伸び、その伸びによる弾性力により、折り曲げ角度が所定の角度よりも小さい場合には上記長尺板状体が曲げる前の状態になり、折り曲げ角度が所定の角度よりも大きい場合には上記長尺板状体が二つ折り状になるように構成されている。
【請求項２】
その長手方向に垂直な断面が略Ｖ字形になるように板体を屈曲させてなる長尺板状体の、長手方向に直交する方向に折り曲げ自在な折り曲げ構造であって、折り曲げ部における上記略Ｖ字形のＶ字の底部を折り曲げ自在の軸とし、所定の角度折り曲げた状態を境にしてその角度を小さくする方向または大きくする方向に付勢する弾性体が上記折り曲げ部に形成されており、上記断面略Ｖ字形のＶ字の底部を折り曲げ自在の軸とするものが下記の構成（Ｂ）になっていることを特徴とする折り曲げ構造。
（Ｂ）長尺板状体の長手方向に垂直な断面が略Ｖ字形になっており、折り曲げ部の断面略Ｖ字形の各傾斜面が、上記Ｖ字の底部から開放側端部にいくにつれて広がる弾性体に形成され、上記長尺板状体を上記Ｖ字の底部側に折り曲げると上記弾性体が伸び、その伸びによる弾性力により、折り曲げ角度が所定の角度よりも小さい場合には上記長尺板状体が曲げる前の状態になり、折り曲げ角度が所定の角度よりも大きい場合には上記長尺板状体が二つ折り状になるように構成されている。
【発明の詳細な説明】
【０００１】
【発明の属する技術分野】
本発明は、ブラシやモップ等の長尺体を折り曲げるための折り曲げ構造に関するものである。
【０００２】
【従来の技術】
一般に、携帯用ヘアブラシは、図１１に示すように、ブラシ毛５１が植設されているブラシ台部５２と柄部５３とがヒンジ連結５４により連結されており、そのヒンジ連結５４の部分で二つ折り状にできるようになっている。
【０００３】
そして、上記携帯用ヘアブラシを使用する際には、ブラシ台部５２と柄部５３とを一直線状にし、携帯する際には、二つ折り状にする。
【０００４】
【発明が解決しようとする課題】
しかしながら、上記従来の技術では、使用中に一直線状にしていた携帯用ヘアブラシがヒンジ連結５４の部分で折れ曲がったり、携帯中に二つ折り状にしていた携帯用ヘアブラシが開いたりしても、元の一直線状（長尺状態）または二つ折り状（折り曲げ状態）に戻ろうとしない。このようなことが、上記携帯用ヘアブラシ以外の長尺体の折り曲げについてもいえる。
【０００５】
本発明は、このような事情に鑑みなされたもので、長尺体の折り曲げにおいて、長尺体が元の長尺状態または折り曲げ状態に戻ろうとするような折り曲げ構造の提供をその目的とする。
【０００６】
【課題を解決するための手段】
上記の目的を達成するため、本発明の折り曲げ構造は、その長手方向に垂直な断面が略逆Ｖ字形または略Ｖ字形になるように板体を屈曲させてなる長尺板状体の、長手方向に直交する方向に折り曲げ自在な折り曲げ構造であって、折り曲げ部における上記略逆Ｖ字形の逆Ｖ字の開放側端部または略Ｖ字形のＶ字の底部を折り曲げ自在の軸とし、所定の角度折り曲げた状態を境にしてその角度を小さくする方向または大きくする方向に付勢する弾性体が上記折り曲げ部に形成されており、上記断面略逆Ｖ字形の逆Ｖ字の開放側端部を折り曲げ自在の軸とするものが下記の構成（Ａ）になっているものを第１の要旨とし、上記断面略Ｖ字形のＶ字の底部を折り曲げ自在の軸とするものが下記の構成（Ｂ）になっているものを第２の要旨とする。
（Ａ）長尺板状体の長手方向に垂直な断面が略逆Ｖ字形になっており、折り曲げ部の断面略逆Ｖ字形の各傾斜面が、上記逆Ｖ字の開放側端部から頂部にいくにつれて広がる弾性体に形成され、上記長尺板状体を上記逆Ｖ字の開放側端部側に折り曲げると上記弾性体が伸び、その伸びによる弾性力により、折り曲げ角度が所定の角度よりも小さい場合には上記長尺板状体が曲げる前の状態になり、折り曲げ角度が所定の角度よりも大きい場合には上記長尺板状体が二つ折り状になるように構成されている。
（Ｂ）長尺板状体の長手方向に垂直な断面が略Ｖ字形になっており、折り曲げ部の断面略Ｖ字形の各傾斜面が、上記Ｖ字の底部から開放側端部にいくにつれて広がる弾性体に形成され、上記長尺板状体を上記Ｖ字の底部側に折り曲げると上記弾性体が伸び、その伸びによる弾性力により、折り曲げ角度が所定の角度よりも小さい場合には上記長尺板状体が曲げる前の状態になり、折り曲げ角度が所定の角度よりも大きい場合には上記長尺板状体が二つ折り状になるように構成されている。
【０００７】
本発明者は、折り曲げ構造を備えた長尺体の折り曲げにおいて、長尺体が元の長尺状態または折り曲げ状態に戻ろうとするように、折り曲げ構造について鋭意研究を重ねた。そして、その研究の過程で、長尺体の断面形状がその折り曲げに影響を及ぼしていることを突き止め、さらに鋭意研究を重ねた。その結果、長尺体を、その長手方向に垂直な断面が略逆Ｖ字形または略Ｖ字形になるように板体を屈曲させてなる長尺板状体とし、折り曲げ部における上記略逆Ｖ字形の逆Ｖ字の開放側端部または略Ｖ字形のＶ字の底部を折り曲げ自在の軸とし、所定の角度折り曲げた状態を境にしてその角度を小さくする方向または大きくする方向に付勢する弾性体を上記折り曲げ部に形成し、上記断面略逆Ｖ字形の逆Ｖ字の開放側端部を折り曲げ自在の軸とするものを上記の構成（Ａ）とするか、上記断面略Ｖ字形のＶ字の底部を折り曲げ自在の軸とするものを上記の構成（Ｂ）とすると、その弾性体による付勢により長尺板状体が元の長尺状態または折り曲げ状態に戻ろうとするようになることを見いだし、本発明に到達した。なお、本発明において「略Ｖ字（形）」とは、Ｖ字の傾斜面が平行面になったりＶ字の底部が丸まったり平坦になったりした略Ｕ字状や円弧状のものを含む意味である。同様に、「略逆Ｖ字（形）」とは、略逆Ｕ字状や円弧状のものを含む意味である。
【０００８】
【発明の実施の形態】
つぎに、本発明の実施の形態を図面にもとづいて詳しく説明する。
【０００９】
図１〜図６は、本発明の折り曲げ構造の第１の実施の形態を示している。この実施の形態では、折り曲げ構造Ｚは、図１に示すように、調理用へらの柄（長尺板状体）１に設けられている。そして、上記折り曲げ構造Ｚが設けられている柄１は、図２（ｃ）に示すように、合成樹脂製の弾性板体を屈曲させてなっており、上記柄１の長手方向に垂直な断面が逆Ｖ字形になっている。さらに、図２（ａ），（ｂ）に示すように、上記柄１の折り曲げ部では、上記柄１における逆Ｖ字の傾斜面が、その逆Ｖ字の各開放側端部と頂部とに頂点を有する平面視菱形の弾性体２に形成されている。そして、上記柄１における逆Ｖ字の各開放側端部に位置する弾性体２の頂点を結ぶ線が、折り曲げの際の回動軸Ｘとなっている。また、上記柄１の後端部には、フック等に掛けるための貫通孔３が形成されている。
【００１０】
より詳しく説明すると、上記弾性体２は、上記柄１における逆Ｖ字の各開放側端部から頂部にいくにつれて広がる２つの逆三角形の弾性板体２ａと、これら逆三角形の間と上記弾性体２の平面視菱形の周縁とに形成された線状の弾性薄肉部２ｂ，２ｃとからなっており〔ただし、図２〜図４の各図（ｃ）は、上記弾性板体２ａと弾性薄肉部２ｂ，２ｃとは区別せずに図示している〕、上記柄１と一体に同材料で形成されている。
【００１１】
そして、図２（ｂ）の矢印Ｒ1 の方向に、上記柄１を回動させて折り曲げていくと、その途中で、図３（ａ）〜（ｃ）に示すように、上記弾性体２は、平坦状になる。この状態では、上記柄１における逆Ｖ字の各開放側端部に位置する弾性体２の頂点が、各開放側端部を外側に押し広げている。そして、その押し広げを元に戻そうとする弾性力により、上記弾性体２の２つの逆三角形の弾性板体２ａの間にある弾性薄肉部２ｂは押しつぶされている。
【００１２】
さらに、図３（ｂ）の矢印Ｒ1 の方向に、上記柄１を回動させて折り曲げていくと、最終的に、図４（ａ）〜（ｃ）に示すように、上記柄１は、二つ折り状になり、その逆Ｖ字の開放側端部同士が当接するようになる。また、上記弾性体２は、Ｖ字形になる。
【００１３】
逆に、上記二つ折り状の柄１を開いて一直線状にする場合には、図４（ｂ），図３（ｂ）の矢印Ｒ2 の方向に上記柄１を回動させる。
【００１４】
ここで、上記柄１の回動の過程で発生する力について説明する。すなわち、上記柄１が一直線状である図２（ａ）〜（ｃ）に示す状態から、図２（ｂ）の矢印Ｒ1 の方向に、上記柄１を回動させて折り曲げていくと、図５に示すようになり、上記弾性体２の弾性薄肉部２ｃが水平方向に伸ばされ、この伸びを元に戻そうとする弾性力Ｐ1 が弾性薄肉部２ｃに発生する。そして、その弾性力Ｐ1 により、回動軸Ｘ回りに、上記柄１を一直線状に戻そうとする（折り曲げた角度を小さくする方向に付勢する）力のモーメントＭ1 が発生する。
【００１５】
また、上記柄１が二つ折り状である図４（ａ）〜（ｃ）に示す状態から、図４（ｂ）の矢印Ｒ2 の方向に、上記柄１を回動させて開いていっても、図６に示すようになり、上記弾性体２の弾性薄肉部２ｃが水平方向に伸ばされ、この伸びを元に戻そうとする弾性力Ｐ2 が弾性薄肉部２ｃに発生する。そして、その弾性力Ｐ2 により、回動軸Ｘ回りに、上記柄１を二つ折り状に戻そうとする（折り曲げた角度を大きくする方向に付勢する）力のモーメントＭ2 が発生する。
【００１６】
そして、上記弾性薄肉部２ｃの伸びは、上記弾性体２が平坦状になる図３（ａ）〜（ｃ）に示す状態で最大となり、上記弾性薄肉部２ｃに発生する弾性力Ｐ0 も、その状態で最大となる。また、この状態では、上記弾性力Ｐ0 の作用線と回動軸Ｘとの距離が０になっているため、回動軸Ｘ回りの上記弾性力Ｐ0 による力のモーメントも０になっている。
【００１７】
言い換えると、上記弾性体２が平坦状になる図３（ａ）〜（ｃ）に示す状態から、上記柄１を一直線状になる方向に少しでも回動させると、図５に示すようになり、回動軸Ｘ回りに、上記柄１を一直線状にしようとする力のモーメントＭ1 が発生し、上記柄１に何ら力を加えなくても、上記柄１は、自動的に図２（ａ）〜（ｃ）に示す一直線状になる。
【００１８】
また、上記弾性体２が平坦状になる図３（ａ）〜（ｃ）に示す状態から、上記柄１を二つ折り状になる方向に少しでも回動させると、図６に示すようになり、回動軸Ｘ回りに、上記柄１を二つ折り状にしようとする力のモーメントＭ2 が発生し、上記柄１に何ら力を加えなくても、上記柄１は、自動的に図４（ａ）〜（ｃ）に示す二つ折り状になる。
【００１９】
このように、上記第１の実施の形態によれば、調理用へらの柄１に上記折り曲げ構造Ｚが設けられているため、上記柄１が一直線状の状態から折れ曲がっても、元の一直線状に戻ろうとし、上記柄１が二つ折り状の状態から開いても、元の二つ折り状に戻ろうとする。すなわち、上記折り曲げ構造Ｚにより、上記柄１は、元の一直線状または二つ折り状が安定した状態となり、どちらかの状態に位置決めされるようになっている。
【００２０】
また、二つ折り状にすることにより、販売の際に陳列等する場合に、スペースをとらない。また、携帯用として持ち運ぶことができる。
【００２１】
図７（ａ）〜（ｃ）は、本発明の折り曲げ構造の第２の実施の形態を示している。このものは、上記第１の実施の形態における弾性体２〔図２（ａ）〜（ｃ）参照〕を変形させたものである。すなわち、この第２の実施の形態における弾性体５は、上記第１の実施の形態における弾性体２のうち、断面逆Ｖ字形の開放側端部および頂部を取り除いたものである。そして、その柄１における逆Ｖ字の各傾斜面では、上記弾性体５を構成する弾性板体５ａが台形状になっており、弾性薄肉部５ｃは、各弾性板体５ａの台形状の両側部に形成されている。それ以外の部分は、上記第１の実施の形態と同様であり、同様の部分には同じ符号を付している。そして、この第２の実施の形態においても、上記第１の実施の形態と同様の作用・効果を奏する。
【００２２】
図８（ａ）〜（ｃ）は、本発明の折り曲げ構造の第３の実施の形態を示している。このものは、上記第２の実施の形態における回動軸Ｘ部分をヒンジ連結６に変形させたものである。すなわち、上記ヒンジ連結６は、柄１の折り曲げ部における逆Ｖ字の各開放側端部に形成されている。それ以外の部分は、上記第２の実施の形態と同様であり、同様の部分には同じ符号を付している。そして、この第３の実施の形態においても、上記第２の実施の形態と同様の作用・効果を奏する。さらに弾性板体５ａが上述したような台形状であり、かつ回動軸Ｘ部分がヒンジ連結６になっているため、上記柄１を回動させて折り曲げていく途中で、上記柄１における逆Ｖ字の各開放側端部が外側に広がることがない。また、上記ヒンジ連結６部分を図８（ｂ）に示すように丸く形成すると、二つ折りした際に、先端部が先鋭〔図４（ｂ）参照〕にならずに丸くなり、安全性が増す。
【００２３】
図９（ａ）〜（ｃ）は、本発明の折り曲げ構造の第４の実施の形態を示している。このものは、上記第３の実施の形態における柄１〔図８（ａ）〜（ｃ）参照〕を、長手方向に垂直な断面が下方に開放した円弧状になっている柄にしたものである。それ以外の部分は、上記第３の実施の形態と同様であり、同様の部分には同じ符号を付している。そして、この第４の実施の形態においても、上記第３の実施の形態と同様の作用・効果を奏する。
【００２４】
図１０（ａ）〜（ｃ）は、本発明の折り曲げ構造の第５の実施の形態を示している。このものは、上記第３の実施の形態における柄１〔図８（ａ）〜（ｃ）参照〕を、長手方向に垂直な断面がＶ字形になっている柄８にし、それに伴って、ヒンジ連結６を、柄８の折り曲げ部におけるＶ字の底部に形成したものである。すなわち、折り曲げの際の回動軸Ｘを上記柄８におけるＶ字の底部に位置させたものである。それ以外の部分は、上記第３の実施の形態と同様であり、同様の部分には同じ符号を付している。そして、この第５の実施の形態においても、上記第３の実施の形態と同様の作用・効果を奏する。ただし、二つ折り状にした際には、上記Ｖ字の底部が当接するようになる。
【００２５】
【発明の効果】
以上のように、本発明の折り曲げ構造によれば、その長手方向に垂直な断面が略逆Ｖ字形または略Ｖ字形になるように板体を屈曲させてなる長尺板状体の、長手方向に直交する方向に折り曲げ自在な折り曲げ構造であって、折り曲げ部における上記略逆Ｖ字形の逆Ｖ字の開放側端部または略Ｖ字形のＶ字の底部を折り曲げ自在の軸とし、所定の角度折り曲げた状態を境にしてその角度を小さくする方向または大きくする方向に付勢する弾性体が上記折り曲げ部に形成され、上記断面略逆Ｖ字形の逆Ｖ字の開放側端部を折り曲げ自在の軸とするものが前記の構成（Ａ）になっているか、上記断面略Ｖ字形のＶ字の底部を折り曲げ自在の軸とするものが上記の構成（Ｂ）になっている。このため、上記長尺板状体の折り曲げにおいて、長尺板状体が元の長尺状態または折り曲げ状態に戻ろうとするようになる。
【図面の簡単な説明】
【図１】本発明の折り曲げ構造の第１の実施の形態を備えた調理用へらを示す斜視図である。
【図２】（ａ）は上記調理用へらの柄が一直線状である状態の上記折り曲げ構造を示す平面図、（ｂ）はその正面図、（ｃ）は（ｂ）のＡ−Ａ断面図である。
【図３】（ａ）は上記調理用へらの柄が折り曲げ途中である状態の上記折り曲げ構造を示す平面図、（ｂ）はその正面図、（ｃ）は（ｂ）のＢ−Ｂ断面図である。
【図４】（ａ）は上記調理用へらの柄が二つ折り状である状態の上記折り曲げ構造を示す平面図、（ｂ）はその正面図、（ｃ）は（ｂ）のＣ−Ｃ断面図である。
【図５】上記調理用へらの柄が折り曲げ途中である状態の上記折り曲げ構造を示す正面図である。
【図６】上記調理用へらの柄が折り曲げ途中である状態の上記折り曲げ構造を示す正面図である。
【図７】（ａ）は本発明の折り曲げ構造の第２の実施の形態を備えた調理用へらの柄が一直線状である状態の上記折り曲げ構造を示す平面図、（ｂ）はその正面図、（ｃ）は（ｂ）のＤ−Ｄ断面図である。
【図８】（ａ）は本発明の折り曲げ構造の第３の実施の形態を備えた調理用へらの柄が一直線状である状態の上記折り曲げ構造を示す平面図、（ｂ）はその正面図、（ｃ）は（ｂ）のＥ−Ｅ断面図である。
【図９】（ａ）は本発明の折り曲げ構造の第４の実施の形態を備えた調理用へらの柄が一直線状である状態の上記折り曲げ構造を示す平面図、（ｂ）はその正面図、（ｃ）は（ｂ）のＦ−Ｆ断面図である。
【図１０】（ａ）は本発明の折り曲げ構造の第５の実施の形態を備えた調理用へらの柄が一直線状である状態の上記折り曲げ構造を示す平面図、（ｂ）はその正面図、（ｃ）は（ｂ）のＧ−Ｇ断面図である。
【図１１】従来の折り曲げ構造を備えた携帯用ヘアブラシを示す斜視図である。
【符号の説明】
２  弾性体
Ｘ  回動軸
【図１】
0004683732.tif 000002
【図２】
0004683732.tif 000003
【図３】
0004683732.tif 000004
【図４】
0004683732.tif 000005
【図５】
0004683732.tif 000006
【図６】
0004683732.tif 000007
【図７】
0004683732.tif 000008
【図８】
0004683732.tif 000009
【図９】
0004683732.tif 000010
【図１０】
0004683732.tif 000011
【図１１】
0004683732.tif 000012